(57)【要約】【課題】  校庭等の広い場所において広範囲に日よけを形成することが容易にできる日よけ装置を提供すること。【解決手段】  ネット収納側支持部となる手摺３と、この手摺３から所定距離離れた位置の支柱５，６と、これら手摺３と支柱５，６との間に所定間隔で並列に張った複数本のガイドロープ１０と、このガイドロープ１０に沿って手摺３と支柱５，６との間を移動する複数個のネット案内環１６と、このネット案内環１６に取付けて前記手摺３と支柱５，６との間で収納／展張する日よけネット７と、この日よけネット７を取付けた展張側端部のネット案内環１６を、この支柱５，６側と前記手摺３との間で移動させるネット展張ロープ１７とを備えさせる。【選択図】  図１
0003137371.tif 000002
【実用新案登録請求の範囲】
【請求項１】
ネット収納側支持部と、該ネット収納側支持部から所定距離離れた位置のネット展張側支持部と、
該ネット収納側支持部とネット展張側支持部との間に所定間隔で並列に張った複数本のガイドロープと、
該ガイドロープに沿って前記ネット収納側支持部とネット展張側支持部との間を移動する複数個のネット案内環と、
該ネット案内環に取付けて前記ネット収納側支持部とネット展張側支持部との間で収納／展張する日よけネットと、
該日よけネットを取付けた前記ネット展張側端部のネット案内環を、該ネット展張側支持部と前記ネット収納側支持部との間で移動させるネット展張ロープとを備えた日よけ装置。
【請求項２】
所定の大きさのネットを連結環で複数枚連結して連続する前記日よけネットを形成した請求項１に記載の日よけ装置。
【請求項３】
前記ガイドロープに沿って移動する前記ネット案内環と日よけネットとの間に、該ネット案内環と円環面が同一方向のネット取付環を具備させた請求項１又は請求項２に記載の日よけ装置。
【請求項４】
前記ガイドロープに沿って移動する前記ネット案内環と日よけネットとの間に、該日よけネットを取付けるネット取付環と、該ネット取付環と前記ネット案内環とを連結する中間連結環とを具備させた請求項１又は請求項２に記載の日よけ装置。
【請求項５】
前記所定間隔で並列に張ったガイドロープの中間部に、前記ネット収納側支持部とネット展張側支持部とに連なる支持ロープを具備させた請求項１〜４のいずれか１項に記載の日よけ装置。
【請求項６】
前記ネット収納側支持部又はネット展張側支持部の一部又は全部を建物に備えさせた請求項１〜５のいずれか１項に記載の日よけ装置。
【考案の詳細な説明】
【技術分野】
【０００１】
本考案は、校庭や中庭などの比較的広い範囲に日よけを形成するための日よけ装置に関するものである。
【背景技術】
【０００２】
従来、例えば、保育園や小学校等の校庭における運動会等では、日よけを形成するためにテントを張る場合が多い。このテントは、校庭の所定場所に立設した複数の支柱の上部に布製のテントを張ったものが一般的に使用されている。
【０００３】
この種の日よけに関する従来技術として、建物から所定距離離間した位置に一対の柱を立設し、この柱と建物との間に巻取り／巻出し可能にワイヤを架け渡し、このワイヤに沿って移動する前板に一端が取付けられたシート部材を具備させて、建物から離れた位置までシートを張り出すようにしたものがある（例えば、特許文献１参照）。
【特許文献１】特開２００６−１６９８３５号公報
【考案の開示】
【考案が解決しようとする課題】
【０００４】
ところで、近年、日射病や紫外線に対する対策が注目されている。特に、幼児の場合は抵抗力が弱いので、保育園や幼稚園等では、日差しが厳しい時期は直射日光の当る校庭での運動は避けて、室内での運動が多く行われる傾向にある。しかし、室内での運動には限界があるため、校庭での運動を希望する声が多い。
【０００５】
しかし、前記特許文献１は、歩道の上部や住宅のテラス等の比較的狭い範囲における日よけや雨よけとして用いる場合は問題ないが、建物から大きく離れた場所に支柱を設けてシート部材を大きくしようとするとシート部材に大きな撓みを生じたり、強度面の負担が大きくなるため、サイズ拡大には自ずと限界があり、校庭などの広い場所での使用には適さない。つまり、前記特許文献１の場合、シート部材が雨や風を通さないテント形式であること、及び構造上、シート部材に掛かる力が全て前後端部のシートに集中して掛かるので、校庭等の広い場所での使用には適さない。
【０００６】
そこで、本考案は、校庭等の広い場所において広範囲に日よけを形成することが容易にできる日よけ装置を提供することを目的とする。
【課題を解決するための手段】
【０００７】
前記目的を達成するために、本考案は、ネット収納側支持部と、該ネット収納側支持部から所定距離離れた位置のネット展張側支持部と、該ネット収納側支持部とネット展張側支持部との間に所定間隔で並列に張った複数本のガイドロープと、該ガイドロープに沿って前記ネット収納側支持部とネット展張側支持部との間を移動する複数個のネット案内環と、該ネット案内環に取付けて前記ネット収納側支持部とネット展張側支持部との間で収納／展張する日よけネットと、該日よけネットを取付けた前記ネット展張側端部のネット案内環を、該ネット展張側支持部と前記ネット収納側支持部との間で移動させるネット展張ロープとを備えている。この明細書及び実用新案登録請求の範囲の書類中における「日よけネット」は、熱吸収率が高く、遮光及び保温性に優れ、軽量で強度的にも優れたものが好ましく、例えば、ポリエチレンモノフィラメントのテープをタタミ織した物や、所定の隙間を設けて網目状に織った物等が用いられる。また、展張／収納は、日よけネットを広げて張る展張と、手繰り寄せて収納することをいう。
【０００８】
これにより、ネット展張ロープの操作によって、日よけネットを並列に張ったガイドロープに沿ってネット収納側支持部とネット展張側支持部との間で広げて張ったり手繰って収納することができ、広範囲に日よけを形成したり日よけを無くすことやが容易にできる。また、ネット展張ロープにより人力で収納／展張を行うので、地球環境に優しい日よけ装置を構成することができる。例えば、このような日よけネットを校庭に備えさせることにより、大きな日よけを形成して幼児等を安心して校庭で遊ばせることができるので、日差しが厳しい時期等でも健康的な教育ができる。
【０００９】
また、所定の大きさのネットを連結環で複数枚連結して連続する日よけネットを形成してもよい。これにより、ネット連結部分に隙間ができるので、風が吹く状況でもこの隙間から風を逃しながら安定した日よけ効果を発揮することができる。
【００１０】
さらに、前記ガイドロープに沿って移動する前記ネット案内環と日よけネットとの間に、該ネット案内環と円環面が同一方向のネット取付環を具備させてもよい。このネット取付環をネット案内環の円環面と同一方向とする構成としては、自在継手等によって達成される。これにより、ネット取付環に取付けられた日よけネットの端部にねじりを生じさせることなくガイドロープと同一線方向に支持して、よりスムーズな収納／展張作業を行うことができる。しかも、日よけネットの幅方向端部においてガイドロープとの間にネット取付環の分の隙間ができるので、日よけネットが風になびいてある程度の強風下でも風を隙間から逃しながら安定した日よけ効果を発揮することができる。
【００１１】
また、前記ガイドロープに沿って移動する前記ネット案内環と日よけネットとの間に、該日よけネットを取付けるネット取付環と、該ネット取付環と前記ネット案内環とを連結する中間連結環とを具備させてもよい。これにより、日よけネットを取付けるネット取付環をガイドロープに沿って移動するネット案内環の円環面と同一方向とすることが簡単な構成ででき、ネット取付環に取付けられた日よけネットの端部にねじりを生じさせることなくガイドロープと同一線方向に支持して、スムーズな収納／展張作業を行うことができる。しかも、日よけネットの幅方向端部においてガイドロープとの間にできた隙間から風を逃すので、ある程度の強風下でも日よけネットが風になびいて風を隙間から逃しながら安定した日よけ効果を発揮することができる。
【００１２】
さらに、前記所定間隔で並列に張ったガイドロープの中間部に、前記ネット収納側支持部とネット展張側支持部とに連なる支持ロープを具備させてもよい。これにより、幅方向に大きい日よけネットを使用した場合でも、日よけネットが下方へ大きく垂れるのを防止すると共に、ネット両端の取付部に掛かる荷重を軽減し、安定して日よけを形成することができる。
【００１３】
また、前記ネット収納側支持部又はネット展張側支持部の一部又は全部を建物に備えさせてもよい。この明細書及び実用新案登録請求の範囲の書類中における「建物」は、幼稚園等の園舎や小学校等の校舎、マンション、その他、遊具等の設備を全て含むものとする。これにより、建物と、この建物から離れた位置の建物や支柱等との間に連なる日よけを形成することが容易にできる。例えば、園舎等の建物に連なる日よけを形成することにより、園児が直射日光に晒されることなく校庭と教室との間を移動することができる。
【考案の効果】
【００１４】
本考案は、以上説明したような手段により、広い範囲を日よけネットで覆うことができるので、日差しの厳しいときに簡便に日よけを形成することが可能となる。
【００１５】
特に、校舎と校庭の離れた位置とに日よけネットを張るようにすれば、教室から校庭に連なる日よけを形成することができ、校庭の日よけ効果のみならず、教室内への射光を遮断し、教室の内外において、幼児等に好ましい環境を提供することが可能となる。
【００１６】
また、常に直射日光や紫外線を遮るだけでなく、炎天下の校庭の輻射熱を大幅に軽減することができるため、周辺環境の改善にも寄与する。
【考案を実施するための最良の形態】
【００１７】
以下、本考案の一実施の形態を図面に基づいて説明する。図１は、本考案の一実施の形態を示す日よけ装置の斜視図であり、図２は、図１に示す日よけ装置の展張側支持部の両端における上部を示す拡大斜視図、図３は、同展張側支持部の中間における上部を示す拡大斜視図である。この実施の形態では、幼稚園の建物（園舎）から校庭の端まで連なる日よけを形成する日よけ装置１を例に説明する。また、この明細書及び特許請求の範囲の書類中では、校舎から校庭に向った状態で、右側、左側、校庭側を前側、校舎側を後側という。
【００１８】
図１に示すように、この実施の形態の日よけ装置１は、ネット収納側支持部である建物２の二階に設けられた廊下の手摺３と、ネット展張側支持部である校庭９の反建物側に設けられた支柱５，６との間で、日よけネット７を支柱５，６側まで展張したり、手摺３側に手繰って収納することができるようになっている。以下の説明では、ネット収納側支持部を単に手摺３、ネット展張側支持部を単に支柱５，６という。この実施の形態におけるネット展張側支持部は、両端に設けられた２本の支柱５と、その中間に設けられた１本の支柱６の、合計３本の支柱５，６によって構成されている。それぞれの支柱５，６は、コンクリート製の基礎８によって頑強に立設されている。
【００１９】
建物２の手摺３には、左右方向（幅方向）に所定間隔でガイドロープ１０の一端が固定され、このガイドロープ１０の他端は校庭９に所定間隔で設けられた前記支柱５，６に固定されている。これにより、手摺３と支柱５，６との間にガイドロープ１０が所定間隔で並列に張られている。また、支柱５，６間は連結ロープ１１で連結されており、この連結ロープ１１の中間位置（並列に張ったガイドロープ１０の中間部）と前記手摺３との間には支持ロープ１２が設けられている。これらのガイドロープ１０と連結ロープ１１と支持ロープ１２とは、所定の張力で張られている。
【００２０】
そして、前記日よけネット７がこのガイドロープ１０に沿って移動するように、この日よけネット７の両側部に設けられたネット取付環１５が、ガイドロープ１０が挿通されたネット案内環１６に中間連結環１４を介して取付けられている。この実施の形態では、ネット案内環１６とネット取付環１５との間に中間連結環１４を設けることにより、ネット取付環１５の円環面がネット案内環１６の円環面と同一方向（ガイドロープ１０に対してほぼ直交する方向）となるようにしている。これにより、ネット取付環１５に取付けられた日よけネット７の端部にねじりを生じさせることなく、日よけネット７をガイドロープ１０と同一線方向に張ることができる。ネット案内環１６には、ガイドロープ１０に沿って手摺３側と支柱５，６側との間で連なるネット展張ロープ１７が挿通されている。このネット展張ロープ１７は、最前端のネット案内環１６に固定部２０（後述する図２，３）で固定され、その後端は手摺３に固定され、前端は支柱５，６の上部に設けられた滑車１８を介して下向きに垂れて、支柱５，６の下部に設けられたロープ係止部１９に固定される。支柱５，６側に手繰ったネット展張ロープ１７は、ロープ係止部１９に掛けて収納する（図１）。
【００２１】
これにより、ネット展張ロープ１７を支柱側に繰り出せば、ネット案内環１６がガイドロープ１０に沿って支柱側に移動するので日よけネット７を展張することができ、ネット展張ロープ１７を廊下４から手摺３側に手繰り寄せれば、ネット案内環１６がガイドロープ１０に沿って手摺３側に移動するので日よけネット７を折り畳んで収納することができる。このように、ネット展張ロープ１７の操作によって、日よけネット７を手摺３と支柱５，６との間で張ったり、収納したりすることができる。
【００２２】
なお、この実施の形態では、前記ガイドロープ１０と連結ロープ１１と支持ロープ１２とに同一径のワイヤロープが採用されている。また、ガイドロープ１０と支持ロープ１２とは、ネット案内環１６をスムーズに移動させることができるように樹脂被覆ワイヤロープが用いられている。これらのロープとしては、ネット案内環１６の移動が可能なロープであれば、他のロープであってもよい。
【００２３】
図２に示すように、両端の支柱５の上部には、前記手摺３との間に設けるガイドロープ１０と、中間の支柱６（図３）との間に設ける連結ロープ１１とを固定する半円状の固定部２１が設けられている。この固定部２１に挿通する形でガイドロープ１０の前端側と連結ロープ１１とが支柱５に係止されている。
【００２４】
また、固定部２１には、ネット案内環１６に挿通されたネット展張ロープ１７の方向を、ガイドロープ１０に沿った状態から支柱５に沿った下向きに曲げる滑車１８が設けられている。この滑車１８によって曲げられたネット展張ロープ１７の端部は下方向に垂れ、ネットの展張及び収納時に手繰り寄せたり、繰り出したりすることができる。支柱５側に手繰ったネット展張ロープ１７は、ロープ係止部１９に掛けて収納する（図１）。
【００２５】
さらに、前記したように、ネット展張ロープ１７は前端のネット案内環１６と係合部２０で固定されており、このネット展張ロープ１７を手繰り寄せ／繰り出しすることにより、前端のネット案内環１６をガイドロープ１０に沿って手摺３（ネット収納側支持部）と支柱５（ネット展張側支持部）との間で移動させることができる。
【００２６】
また、ネット展張ロープ１７の前側の所定位置には、日よけネット７を手摺３側に収納したときにネット展張ロープ１７の前側が所定位置で止まるようにストッパ２２が設けられている。このストッパ２２は、ネット展張ロープ１７を手摺３側に手繰り寄せると滑車１８に係止されるような大きさと形状になっている。ネット展張ロープ１７を手繰り寄せて日よけネット７を全て手摺３側に収納した状態では、このストッパ２２が滑車１８に係止されてネット展張ロープ１７を手繰り寄せ過ぎることがないようにしている。
【００２７】
また、日よけネット７としては、前記したように、熱吸収率が高く、遮光及び遮熱性に優れ、軽量で強度的にも優れたものが好ましく、この例では、ポリエチレンモノフィラメントのテープをタタミ織した遮光率９５％のスクリーン（ネット）が用いられている。このようにテープを織った日よけネット７を用いることにより、織目から空気が抜けるので、風が吹いても一部の風を織目から逃してなびくことにより、ある程度の強風下でも風による外力を軽減し、日よけの形成状態を保つことができる。しかも、風でなびいたとしても大きな音を発することがない。この日よけネット７としては、所定の隙間を設けて網目状に織った物等、遮光性に優れ軽量で強度的に優れたものがよい。また、日よけネット７の周囲には補強シート部２３が設けられており、この補強シート部２３に前記ネット取付環１５の取付穴２４が設けられている。
【００２８】
図３に示すように、中間の支柱６の上部には、両端の支柱５（図２）側と前記手摺３側とにガイドロープ１０と連結ロープ１１とを固定する半円状の固定部２１が設けられている。この固定部２１を挿通する形で、ガイドロープ１０の前端側と連結ロープ１１とが支柱６に係止されている。
【００２９】
また、支柱６の固定部２１にも、ネット案内環１６に挿通されたネット展張ロープ１７の方向を支柱６に沿って下向きに曲げる滑車１８が設けられている。この滑車１８によって曲げられたネット展張ロープ１７の端部も、前記したように、支柱６の下部に設けられたロープ係止部１９に巻掛けられて固定されている（図１）。また、このネット展張ロープ１７の支柱側にも、所定位置にストッパ２２が設けられている。他の構成は前記図２と同一であり、同一の構成には同一の符号を付して、その詳細な説明は省略する。
【００３０】
図４は、前記日よけネットとネット案内環との連結部の例を示す正面図であり、(a) はネット案内環に日よけネットを取付けた図、(b) はネット案内環に日よけネットを取付けたネット取付環を取付けた図、(c) はネット案内環とネット取付環との間に中間連結環を設けた図である。この実施の形態では、図４(c) に示すようにネット案内環１６とネット取付環１５との間に中間連結環１４を設けているが、日よけネット７とネット案内環１６との取付けは、図４(b) に示すように、日よけネット７を取付けたネット取付環１５をネット案内環１６に自在継手を介して取付けてもよく、図４(a) に示すように、ネット案内環１６に日よけネット７を取付けるようにしてもよい。このようなネット案内環１６と日よけネット７との連結は、日よけネット７の取付穴２４にねじりが生じないようにしてスムーズな収納／展張作業が行えるようにするのが好ましく、ネット取付環１５の円環面をネット案内環１６の円環面と同一方向にすることにより、日よけネット７をガイドロープ１０と同一線方向に支持することができる構成がよい。この構成は、使用条件等に応じて決定すればよい。
【００３１】
図５は、図１に示す日よけ装置の側面図であり、図６は、図１に示す日よけ装置の平面図である。この日よけネット７は、手摺３と支柱５，６との間に所定間隔で並列に設けられたガイドロープ１０に沿って、支柱５，６側に広げて張ったり、手摺３側に手繰り寄せて収納することができるようになっている（図では、収納状態から一部を展張した状態を示している）。
【００３２】
また、前記したように、この実施の形態の日よけネット７は、例えば、一辺の長さが４ｍ〜５ｍの矩形に形成されたネット２６を連結環２７で連結することにより，例えば、数十ｍの縦長矩形状に形成されている。連結環２７で連結したネット２６の間には、風Ｗを逃すことができるように適当な間隔を設けている。図５に示す二点鎖線は、各ネット２６が風Ｗになびいている状態を示しており、個々のネット２６が独立して風Ｗになびき、日よけネット７に上下方向の風Ｗが作用したとしても、ネット２６の織目及び連結部の隙間から逃して、日よけネット７に大きな力が作用しないようにできる。すなわち、日よけネット７自身も織目の間に無数の隙間を有しているので、ネット連結部の隙間から逃す風とネット自身の織目の間から逃す風Ｗとによって、ある程度の風の強い日でも安定した日よけ効果を発揮することができる。
【００３３】
しかも、この実施の形態では、３本の支柱５，６を設け、これらの支柱５，６と手摺３との間に設けたガイドロープ１０に沿って日よけネット７を広げて張ったり、収納したりすることができるようにしているので、支柱５，６側にプールＰがある場合等でも、その上部の日よけネット７を収納して、他の部分のみに日よけを形成することが容易にできる。このようにすれば、プールＰの日当たりは良くした状態で、他の部分は日よけを形成する、といった使い分けを行うことができる。この例ではプールＰを例にしたが、プールＰ以外の構成であっても同様に、日よけを部分的に形成することが容易にできる。
【００３４】
以上のように構成された日よけ装置１によれば、例えば、前記図１に示すように、日よけネット７を支柱５，６（展張側支持部）まで広げて校庭９の広い範囲に日よけを形成すれば、日射病や紫外線の影響等を気にすることなく、建物から校庭の端の方まで連なる日よけの下で園児等を自由に遊ばせることができる。
【００３５】
その上、前記日よけ装置１によれば、日よけ部材にネット２６を使用することによって、その織目並びにネット２６の取付け及び連結部分に設けられた適度な隙間から風や雨水が通過するように工夫されていること、及び構造上ネット２６に掛かる力がネット取付環１５、中間連結環１４、ネット案内環１６を介して分散してガイドロープ１０に伝えられるようにしているため、日よけネット７に掛かる負担を格段に軽減することができる。このことは、日よけネット７に掛かる荷重の負担を局部的に処理していることを意味し、日よけネット７の強度がネットサイズ拡張の妨げにはならないという本装置の最大の特徴を生み出し、校庭などの広い場所にも簡便な方法で安定した日よけを形成することができる。
【００３６】
また、図６に示すように、前記日よけ装置１によれば、前記したように複数枚のネット２６を連結環２７で連結することにより１枚の日よけネット７を形成しているので、設置場所の状況に合わせて形状及び日よけ面積を調整することが容易に可能である。さらに、日よけネット７を支柱５，６まで出さずに途中で止めてその位置で保持することにより、任意の範囲に日よけを形成することができるので、例えば、プールの上部に日よけネット７がかからないようにしたりすることも容易に可能であり、使用目的や、使用時間、その他、使用者が日よけしたい範囲を容易に適宜調整して使用することができる。
【００３７】
なお、この実施の形態では、ネット展張側支持部に３本の支柱５，６を設け、これらの支柱５，６に並列に張ったガイドロープ１０の間に２列の日よけネット７を設けた例を説明したが、日よけネット７は、幅方向に１列でも、３列以上でもよく、この実施の形態に限定されるものではない。
【００３８】
また、前記実施の形態では、建物２として園舎を例に説明したが、ショッピングセンター等の場所でも利用することができ、日よけ装置１を設ける場所は前記実施の形態に限定されるものではない。
【００３９】
さらに、前述した実施の形態は一例を示しており、本考案の要旨を損なわない範囲での種々の変更は可能であり、本考案は前述した実施の形態に限定されるものではない。
【産業上の利用可能性】
【００４０】
本考案に係る日よけ装置は、必要に応じて広い範囲に日よけを形成したい校庭や公園等に利用できる。
【図面の簡単な説明】
【００４１】
【図１】本考案の一実施の形態を示す日よけ装置の斜視図である。
【図２】図１に示す日よけ装置の展張側支持部の両端における上部を示す拡大斜視図である。
【図３】図１に示す日よけ装置の展張側支持部の中間における上部を示す拡大斜視図である。
【図４】日よけネットとネット案内環との連結部の例を示す正面図であり、(a) はネット案内環に日よけネットを取付けた図、(b) はネット案内環に日よけネットを取付けたネット取付環を取付けた図、(c) はネット案内環とネット取付環との間に中間連結環を設けた図である。
【図５】図１に示す日よけ装置の側面図である。
【図６】図１に示す日よけ装置の平面図である。
【符号の説明】
【００４２】
１…日よけ装置
２…建物
３…手摺（ネット収納側支持部）
４…廊下
５，６…支柱（ネット展張側支持部）
７…日よけネット
８…基礎
９…校庭
１０…ガイドロープ
１１…連結ロープ
１２…支持ロープ
１４…中間連結環
１５…ネット取付環
１６…ネット案内環
１７…ネット展張ロープ
１８…滑車
１９…ロープ係止部
２０…係合部
２１…固定部
２２…ストッパ
２３…補強シート部
２４…取付穴
２６…ネット
２７…連結環
Ｐ…プール
Ｗ…風
【図１】
0003137371.tif 000003
【図２】
0003137371.tif 000004
【図３】
0003137371.tif 000005
【図４】
0003137371.tif 000006
【図５】
0003137371.tif 000007
【図６】
0003137371.tif 000008